(57)【要約】【課題】年配の方や子供など誰もが容易で、しかも即座に吸引ができ、感染を防ぎながら複数回使用できるポイズンリムーバーを提供する。さらには吸引キャップの交換も容易にする。【解決手段】本体３の先端に吸引キャップ１を備えた吸引器において、前記吸引キャップ１を本体３に対して傾斜自在に取り付けたことを特徴とする吸引器。  本体３の先端に吸引キャップ１を備えた吸引器において、前記吸引キャップ１を含む吸引通路内に通気性でありながら液体を吸収する吸収部材（フィルター２）を配置したことを特徴とする吸引器。【選択図】図２
2019084314.tif 000002
【特許請求の範囲】
【請求項１】
吸引本体の先端に吸引キャップを備えた吸引器において、前記吸引キャップを吸引本体に対して傾斜自在に取り付けたことを特徴とする吸引器。
【請求項２】
吸引本体の先端に吸引キャップを備えた吸引器において、前記吸引キャップを含む吸引通路内に通気性でありながら液体を吸収する吸収部材を配置したことを特徴とする吸引器。
【請求項３】
吸引本体の先端に吸引キャップを備えた吸引器において、シリンダー内を常圧に保つピストンの待機位置とシリンダー内を減圧させるピストンの減圧位置の間を移動自在であるピストンを配置し、前記ピストンを待機位置に留める保持手段を解除し、減圧位置に移動させる起動手段を設け、シリンダー内の減圧によって前記吸引キャップより吸引させることを特徴とする吸引器。
【発明の詳細な説明】
【技術分野】。【０００１】  本発明は、虫等に刺されたりすることで、皮膚下に入り込んだ毒物を吸引し、応急処置にて体への被害を軽減する注射器型吸引器（ポイズンリムーバー）に関するものである。
【背景技術】
【０００２】  登山等のアウトドアで虫等に刺されたり、蛇等に噛まれた時、従来は皮膚下に入った毒物を口で吸い出したり、切って除去する応急処置を施してきていた。【０００３】  皮膚下の毒物を口で吸い出すと、吸い出した人が危険であり、また、切開による毒物除去の応急処置も患部を化膿させる危険があった。【０００４】  上記の様な危険を避ける手段として、ポイズンリムーバーによる皮膚下の毒物を吸引する方法がある。【０００５】  一般的にポイズンリムーバーは、シリンダーとピストンから構成されており、吸引キャップから患部に当て、手動でピストンを動かして皮膚下の毒物を吸引する。
【先行技術文献】
【特許文献】
【０００６】
【特許文献１】特開２００６−３４６０５２号公報
【発明の概要】
【発明が解決しようとする課題】
【０００７】  虫等に刺された時、蛇等に噛まれた時に即座に毒物を吸引することは重要である。【０００８】  従来のポイズンリムーバーは本体と吸引キャップが一体のものや、樹脂どうしの勘合できつく固定されているなどから、吸引する時はポイズンリムーバーを患部に垂直に当てないと、吸引キャップ先端と患部に隙間ができ、空気が抜けて充分吸引できない場合があった。【０００９】  患部が背中など、手が届きにくい部位の場合、ポイズンリムーバーを垂直に当てるのに時間がかかっていた。【００１０】  虫に刺された１箇所の場合や蛇に噛まれた２箇所の場合など、患部に合わせた形状の吸引キャップに交換する必要があり、吸引キャップが強く本体に固定されていると着脱、交換に時間がかかっていた。【００１１】  複数の人が続けて使用する場合も感染を防ぐため、吸引キャップの交換が必要であるが、強く固定されている場合は交換に時間がかかり、また年配の方や子供には作業が困難であった。【００１２】  皮膚下から吸引された毒物や血液は吸引キャップ内から本体側に吸い込まれる可能性があり、複数回続けるには感染などの危険性もあった。特に本体を傾けた場合、毒物や血液は本体内部へ流れ込み易くなる。【００１３】  従来のポイズンリムーバーは登山家など体力のある人を想定しており、吸引操作も強い力で押したり引いたりする構造のため吸引に時間がかかり、特に年配の方や子供では作業も困難であった。また、野外ステージや家族ハイキング、庭の手入れや公園の散歩など、誰でも日常容易に使用できる構造ではなかった。
【課題を解決するための手段】
【００１４】  本発明は上記課題に鑑みてなされたものであり、第一の発明は、吸引本体の先端に吸引キャップを備えた吸引器において、前記吸引キャップを吸引本体に対して傾斜自在に取り付けたことを特徴とする構造である。【００１５】  第二の発明は、吸引本体の先端に吸引キャップを備えた吸引器において、前記吸引キャップを含む吸引通路内に通気性でありながら液体を吸収する吸収部材（フィルター）を配置したことを特徴とする構造である。【００１６】  第三の発明は、吸引本体の先端に吸引キャップを備えた吸引器において、シリンダー内を常圧に保つピストンの待機位置とシリンダー内を減圧させるピストンの減圧位置の間を移動自在であるピストンを配置し、前記ピストンを待機位置に留める保持手段を解除し、減圧位置に移動させる起動手段を設け、シリンダー内の減圧によって前記吸引キャップより吸引させることを特徴とする構造である。
【発明の効果】）【００１７】  第一の発明によれば、ポイズンリムーバーを患部に押し当てた時、患部に対して傾きがあっても、吸引キャップが吸引本体に対し傾き可能なため、患部に合わせて傾き密着するので即座に吸引処置が開始できる。【００１８】  吸引キャップを患部の傾きに合わせられるため、手が届きにくい部位など傾いたまま応急処置ができるため、吸引処置の範囲が広がる。【００１９】  吸引キャップと吸引本体の勘合にゴム等の弾性部材を介しているため、吸引キャップの交換が容易で短時間で吸引処置ができる。【００２０】  吸引キャップと吸引本体の着脱が容易で、誰でも作業ができるため、登山など限られた分野以外に利用範囲を広げられる。【００２１】  第二の発明によれば、毒物や血液をフィルターに吸収させ、フィルターの交換と吸引キャップの洗浄で、感染することなく複数回の吸引処置が可能となる。【００２２】  フィルターが毒物や血液を吸収することで吸引本体内への流入を防げるため、吸引本体内部の洗浄の必要はなく、さらには流れ込んだ毒物や血液からの感染もなくすことができる。【００２３】  ポイズンリムーバーを傾けた場合でも毒物や血液はフィルターに吸収される。【００２４】  第三の発明によれば、スイッチを軽く押すことで、シリンダー内を常圧に保つピストンの待機位置からシリンダー内を減圧させるピストンの減圧位置にピストンを即座に移動させ、シリンダー内を減圧させることによって直ちに吸引キャップより吸引を行うことができる。【００２５】  誰でも容易に、かつ素早く吸引ができるため利用範囲を広げられる。
【図面の簡単な説明】
【００２６】
【図１】本発明に係る実施例でポイズンリムーバーの吸引キャップの組み付け構成を説明する断面図である。
【図２】本発明に係る実施例でポイズンリムーバーの吸引キャップの傾き機構を説明する断面図である。
【図３】吸引キャップの一例を示した斜視図である。
【図４】吸引キャップの他の一例を示した斜視図である。
【図５】吸引キャップのさらに他の一例を示した斜視図である。
【図６】本発明に係る実施例のポイズンリムーバーにおいて、吸引機構を説明するための断面図である。
【発明を実施するための形態】
【００２７】  以下に本発明に係るポイズンリムーバーの一実施例を図１〜図６を参照して、実施例の形態について詳細に説明する。
【００２８】  尚、以下の実施例において、ポイズンリムーバーを構成するシリンダーとピストンの中心軸線をＺ軸とし、圧縮コイルが伸びた時にシャフトが動く方向を＋に設定して説明する。
【実施例】
【００２９】  図１に示した如く、本発明に係る実施例のポイズンリムーバーはＯリング４が本体３（シリンダー）に上側と外周の２方向を、下側をＯリング押え１３で固定保持され、吸引キャップ１がＯリング４の内周部で弾性支持されながら組付けられている。また、吸引キャップ段差１ｄがＯリング４に当たって止まる構造になっている。弾性部材はＯリング以外でも同機能であれば良い。【００３０】  吸引キャップ１の内壁にはフィルター２が弾性支持されながら軽圧入で組付けられている。【００３１】  毒物を吸引する時は吸引キャップ１の先端部１ａが患部を覆う様に皮膚に当てる。本体３の本体内部スペース３ａの気圧が後述記載の様に減圧すると、吸引キャップ吸引通路１ｃとフィルター２を通気して吸引キャップ内スペース１ｂの気圧も減圧され、患部から毒物等が吸引キャップ内スペース１ｂに吸い上げられる。【００３２】  図２に示した如く、本発明に係る実施例のポイズンリムーバーは吸引キャップ１がＯリング４に弾性支持されており、Ｏリング押え１３にはテーパを設けているため傾き可能である。【００３３】  吸引キャップ１が傾くことで、吸引キャップ先端部１ａは患部の傾きに合わせて接触するため、患部と吸引キャップ先端部１ａの隙間は発生しない。【００３４】  吸引の動作は垂直に当てた場合同様、本体内部スペース３ａの気圧が減圧すると、吸引キャップ吸引通路１ｃとフィルター２を通気して吸引キャップ内スペース１ｂが減圧し、吸引キャップ先端部１ａが覆っている患部から毒物が吸引される。吸引キャップ１と本体３は傾きが発生するが、Ｏリング４によって弾性圧入されているため、気密性が保たれて吸引に影響を及ぼすことはない。【００３５】  蚊や蜂に刺されたり、蛇に噛まれた時に、患部に対しポイズンリムーバーを垂直に合わせるための時間をかけることなく、即座に応急処置ができる。また、背中など手が届きにくい部位でもポイズンリムーバーを傾けて吸引できるため、処置できる患部の範囲を広げることができる。【００３６】  吸引キャップ１はＯリング４で弾性支持されながら勘合組み込みされているため、着脱が容易となり、蚊や蜂に刺された時の様に患部が１箇所の場合、蛇に噛まれた時の様に患部が２箇所の場合に、形状の異なる吸引キャップ交換を即座に行い、吸引を早く行うことができる。【００３７】  図３、図４、図５は吸引キャップについて数種類ある形状の一例を示した斜視図であって、患部の状態によって使い分ける。【００３８】  クラゲ等に刺された時の様に患部の面積が広い場合は図３の吸引キャップ１の様に先端部１ａの面積が広い形状を、蚊や蜂に刺された時の様に患部の面積が狭い場合は図４の吸引キャップ１４の様に先端部１４ａの面積が狭い形状を、また、蛇に噛まれた時の様に患部が２箇所ある場合は図５の吸引キャップ１５の様に先端部１５ａの面積が横長の形状を選択できる。キャップ先端部は患部周囲に当てる時、食い込まない様に一定の幅を設けている。【００３９】  毒などが回らない様に吸引キャップ１の交換は素早く行う必要があり、Ｏリング４等の様な弾性支持部材による保持は必要不可欠である。【００４０】  図１に戻り、第二の発明について説明する。吸引キャップ１の奥内部にフィルター２が軽圧入にて組込まれている。フィルター２は空気を通過するが、毒物や血液を吸収する吸収部材であって公知の材質を用いれば良く、汚れた場合は吸引キャップ１から取り出し、新品と交換ができる。【００４１】  また、フィルター２は本体３に配置する構造に変形しても良い。【００４２】  フィルター２を吸引キャップ１と本体３の間に配置することで、毒物や血液の本体内スペース３ａへの流れ込みを防ぐこともできる。また、フィルター２の交換は複数回使用時の感染防止にも役立つ。【００４３】  再び、図１に戻り、第三の発明である機構について説明する。
本体３の内側にピストン６が配置され、Ｏリング１０ａとＯリング１０ｂを介して本体内側と密閉されて組み付けられている。尚、密閉を保つ手段としてはＯリング１０ａ、又はＯリング１０ｂの片方のみでも良い。【００４４】  ピストン６には内側に圧縮コイルばね５が配置され、ピストン６をＺ軸＋方向に押し上げる方向で荷重がかかっている。【００４５】  一方、ピストン６とシャフト７は一体化されており、シャフト７はシャフトホルダー１１によってＺ軸＋方向に摺動可能に保持されている。尚、シャフトホルダー１１は本体３に固定されている。【００４６】  スイッチシャフト８と一体化したスイッチ９は、スイッチ押し面９ａ方向と反対方向にコイルばね１２によって荷重がかけられている。尚、コイルばね１２の代わりにスイッチ９に一体化した樹脂ばねを設け、同機能を持たせても良い。【００４７】  スイッチシャフト８はシャフト７の切り欠き部７ａに引っ掛かっており、シャフト７のＺ軸＋方向への移動を止めている。【００４８】  図６に示した如く、本発明に係る第一実施例のポイズンリムーバーはスイッチ９のスイッチ押し面９ａを押すことによって、シャフト７の切り欠き部７ａからスイッチシャフト８が外れるため、一体化したシャフト７とピストン６は圧縮コイルばね５によってＺ軸＋方向に押し上げられる。【００４９】  ピストン６が本体３とＯリング１０ａ及びＯリング１０ｂによって密閉されているため、本体内部スペース３ａは吸引キャップ吸引通路１ｃとフィルター２を通気し吸引キャップ内スペース１ｂと同気圧になっている。【００５０】  毒物を吸引する時、スイッチ９のスイッチ押し面９ａが押される前にキャップ先端部１ａが患部に予め押し付けられているため、吸引キャップ内スペース１ｂは外部から密閉された状態にある。【００５１】  シャフト７とピストン６がＺ軸＋方向に移動すると本体内部スペース３ａは体積が増えて減圧し、吸引キャップ吸引通路１ｃとフィルター２を通気しキャップ内スペース１ｂも減圧する。【００５２】  吸引キャップ内スペース１ｂの減圧によって吸い出された毒物や血液は、吸引キャップ内スペース１ｂ内に入るが、フィルター２に到達すると吸収され、本体内部スペース３ａまで入り込むことはない。【００５３】  スイッチ９のスイッチ押し面９ａを軽く押すことで、上記一連の動作が即時に行なわれる。【００５４】  本体蓋１６は本体３内部にゴミ等が入らない様に設けた蓋で、シャフトホルダー１１と一体化しても良い。また、シャフト蓋１７はシャフト７を押し込む時に、シャフト７の円面積より広い円面積を設けることで押し易くしたものであって、シャフト７に固定されている。尚、シャフト７とシャフト蓋１７も同一部品で一体化しても良い。【００５５】  本実施例では、シャフト７とピストン６を圧縮コイルばね５によって押し上げる移動手段を取っているが、他の移動手段として、引張りコイルばねで位置を変えて引張り上げる移動手段、ゴム風船等の気圧の圧力によって押し上げ、或いは引き上げる移動手段でも同機能を得ることができる。また、駆動力を得る方法としてはコストアップになるが電動による押し上げ、引き上げの移動手段でも同機能を得ることができる。
【符号の説明】
【００５６】  １  吸引キャップ
１ａ  吸引キャップ先端部
１ｂ  吸引キャップ内スペース
１ｃ  吸引キャップ吸引通路
１ｄ  吸引キャップ段差
２  フィルター
３  本体
３ａ  本体内部スペース
４  Ｏリング
５  圧縮コイルばね
６  ピストン
７  シャフト
７ａ  シャフト切り欠き部
８  スイッチシャフト
９  スイッチ
９ａ  スイッチ押し面
１０ａ  Ｏリング
１０ｂ  Ｏリング
１１  シャフトホルダー
１２  コイルばね
１３  Ｏリング押え
１４  吸引キャップ
１４ａ  吸引キャップ先端部
１５  吸引キャップ
１５ａ  吸引キャップ先端部
１６  本体蓋
１７  シャフト蓋
【図１】
2019084314.tif 000003
【図２】
2019084314.tif 000004
【図３】
2019084314.tif 000005
【図４】
2019084314.tif 000006
【図５】
2019084314.tif 000007
【図６】
2019084314.tif 000008